(57)【要約】【課題】接着材料で貼り付けた部材の剥離を抑制することができる洗濯機を提供する。【解決手段】実施形態に係る洗濯機が備える上蓋（３）は、支持部（３１１）とガラス板（３２）とを接着する接着部（３１３）を有しており、側壁部（３１２）とガラス板（３２）との隙間の下方には、少なくとも一部が、側壁部（３１２）に沿って設けられた溝（３１４）によって形成された空間が設けられている。【選択図】図６
2018075418.tif 000002
【特許請求の範囲】
【請求項１】
本体と、
前記本体の上面の少なくとも一部を覆う上部覆い部材とを備え、
前記上部覆い部材は、支持部と、前記支持部の上面に接着される板状部材と、前記支持部と前記板状部材との間に配されて前記支持部と前記板状部材とを接着する接着部とを有しており、
前記板状部材の外周端部に面した側壁部が設けられ、
前記側壁部と前記板状部材との隙間の下方には、少なくとも一部が、前記側壁部に沿って設けられた溝によって形成された空間が設けられていることを特徴とする洗濯機。
【請求項２】
前記溝は、水平面に対して傾斜し、前記溝の底部には貫通孔が形成されていることを特徴とする請求項１に記載の洗濯機。
【請求項３】
前記空間の前記側壁部と直交する方向の幅は、前記隙間よりも広いことを特徴とする請求項１または２に記載の洗濯機。
【発明の詳細な説明】
【技術分野】
【０００１】
本発明は、衣類等の洗濯物の洗濯を行う洗濯機に関するものであり、より詳しくは、洗濯物の出し入れを行う開口部を開閉する扉に関するものである。
【背景技術】
【０００２】
従来の洗濯機は特許文献１に開示されている。この洗濯機は有底筒状の水槽内に洗濯物が投入される回転自在の洗濯兼脱水槽が配されている。洗濯兼脱水槽の上部には洗濯兼脱水槽内に給水する給水装置が設けられ、洗濯兼脱水槽の底部には回転自在の回転翼が配される。洗濯兼脱水槽内に給水して回転翼を回転することにより洗濯物の洗い及びすすぎが行われる。また、洗濯兼脱水槽を高速回転することにより洗濯物の脱水が行われる。
【０００３】
前記洗濯機は、上面に前記洗濯物を出し入れするための開口と、前記開口を開閉するためのドアを備えている。そして、前記ドアは前記洗濯兼脱水槽の内部の洗濯物を確認するための視認エリア（窓）を備えている。特許文献１では、前記視認エリアを介して前記洗濯兼脱水槽の内部を視認するために、強化ガラスパネルと、前記強化ガラスパネルの周囲に樹脂の一体射出成型で取り付けられるフレームを備えたドアが示されている。
【０００４】
上記特許文献１に記載の洗濯機によると、強化ガラスに対して樹脂を一体射出成型することで、前記強化ガラスにフレームを取り付けている。そのため、強化ガラスは樹脂の一体成型で変形したり割れたりしない程度に高強度（高耐熱性）が要求されるとともに、前記ドアの組み立てが煩雑である。
【０００５】
このような製造に要する手間と時間を抑制するために、前記ドアの組み立てに際して、フレームにガラスパネルを粘着シート等の接着材料を利用して取り付ける方法が採用されることもある。
【先行技術文献】
【特許文献】
【０００６】
【特許文献１】特開２００５−５８７５３号公報（段落００１７〜００１９、図３、図４）
【発明の概要】
【発明が解決しようとする課題】
【０００７】
粘着シート等の接着材料を用いて、パネル（例えば上述のガラスパネル）を前記フレームに取り付ける場合、前記パネルと前記フレームとの隙間に水や洗濯液（洗剤が溶けた水）が浸入すると、前記接着材料の接着力が弱くなり、前記パネルの一部が前記フレームから離れる可能性がある。
【０００８】
そこで本発明は、パネル（例えば、ガラスパネル）とフレームとの隙間に水や洗濯液（洗剤が溶けた水）が浸入しても、パネルの一部がフレームから離れる不具合の発生を低減する洗濯機を提供することを目的とする。
【課題を解決するための手段】
【０００９】
上記目的を達成するために本発明は、本体と、前記本体の上面の少なくとも一部を覆う上部覆い部材とを備え、前記上部覆い部材は、支持部と、前記支持部の上面に接着される板状部材と、前記支持部と前記板状部材との間に配されて前記支持部と前記板状部材とを接着する接着部とを有しており、前記板状部材の外周端部に面した側壁部が設けられ、
前記側壁部と前記板状部材との隙間の下方には、少なくとも一部が、前記側壁部に沿って設けられた溝によって形成された空間が設けられている洗濯機を提供する。
【発明の効果】
【００１０】
本発明によると、接着材料で貼り付けた部材の剥離を抑制することができる洗濯機を提供することができる。
【図面の簡単な説明】
【００１１】
【図１】本発明にかかる洗濯機の一例である洗濯乾燥機の上から見た斜視図である。
【図２】図１に示す洗濯乾燥機の上蓋を開いた状態を上から見た斜視図である。
【図３】図１に示す洗濯乾燥機の側断面図である。
【図４】本発明にかかる洗濯機に用いられる上蓋の斜視図である。
【図５】図４に示す上蓋からガラス板を取り外した状態の斜視図である。
【図６】図４に示す上蓋の側部の断面を拡大した拡大断面図である。
【図７Ａ】本発明にかかる洗濯機の他の例に用いられる上蓋の拡大断面図である。
【図７Ｂ】図７Ａに示す上蓋の変形例の断面図である。
【図８】本発明にかかる洗濯機の他の例に用いられる上蓋の概略を示す斜視図である。
【図９】本発明にかかる洗濯機のさらに他の例に用いられる上蓋のハンドル部の近傍を拡大した斜視図である。
【図１０】本発明にかかる洗濯機のさらに他の例に用いられる上蓋の概略を示す拡大断面図である。
【図１１】本発明にかかる洗濯機のさらに他の例に用いられる上蓋に形成された溝を示す図である。
【発明を実施するための形態】
【００１２】
以下に本発明の実施形態について図面を参照して説明する。図１は本発明にかかる洗濯機の一例である洗濯乾燥機の上から見た斜視図であり、図２は図１に示す洗濯乾燥機の上蓋を開いた状態を上から見た斜視図であり、図３は図１に示す洗濯乾燥機の側断面図である。なお、図３においては、左側の面が洗濯機Ａの前面（正面）、右側の面が後面（背面）である。
【００１３】
本発明にかかる洗濯機Ａは、上部に洗濯物を出し入れする開口部２１を備えた縦型の洗濯機である。洗濯機Ａの外装は外箱１と、上面部材２と、上蓋３と、ベース部材４とを含んでいる。また、外箱１の内部には水槽５、洗濯兼脱水槽６及び駆動機構７が配置されている。
【００１４】
外箱１は直方体形状で、金属または合成樹脂により成型され、上部及び底部に開口が形成されている。外箱１の上部の開口には上面部材２が重ねられ、外箱１にネジ止め等の従来周知の締結方法を利用して固定されている。また、外箱１の底部の開口にはベース部材４が重ねられ、外箱１に固定されている。なお、ベース部材４の固定は、上面部材２と同じ方法であってもよいし、異なる方法であってもよいが、従来周知の方法が用いられる。
【００１５】
上面部材２には洗濯物を出し入れするための開口部２１が設けられている。また、上面部材２の上方後部には給水部２２が配される。給水部２２は、水道（蛇口）や風呂水用のポンプ（いずれも不図示）を接続し、水道又は風呂水用のポンプからの水を水槽５（水槽５内に配置された洗濯兼脱水槽６）に供給するようになっている。また、洗剤類（洗剤、柔軟剤、漂白剤等）を投入することができる洗剤ケースが設けられており、洗剤類と水（水道水）とを混合した液体（以下、洗濯液と称する場合がある）を水槽５（洗濯兼脱水槽６）に供給するようになっている。
【００１６】
そして、上面部材２には、開口部２１を開閉するように上蓋３が取り付けられている。また、上面部材２の上蓋３よりも前方には、使用者が洗濯機Ａの操作を行うための操作部２０が設けられている。操作部２０が操作されることで、洗濯機Ａは、洗濯、すすぎ、脱水、乾燥等のそれぞれの動作或いはこれらを組み合わせた動作を行う。
【００１７】
上蓋３は、上面部材２にヒンジ部３０で結合され、ヒンジ部３０を中心に回動可能となっている。ヒンジ部３０は、上面部材２の背面側に設けられており、洗濯機Ａの正面側から見て、上蓋３は手前側を上方に向けて回動させることで、開口部２１を開閉する。上面部材２は上蓋３が手前側を下に傾斜して開口部２１を閉じるような構造を有している。上蓋３の詳細については、後述する。
【００１８】
ベース部材４の４隅には洗濯機Ａを設置場所（例えば床）の上に設置するときに支持部材となる４個の脚部４１が設けられている。４個の脚部４１のうち少なくとも２個は伸張可能な構成（例えば、高さ可変のねじ脚）であり、高さを調整することが可能である。
【００１９】
水槽５は、一端が開口した有底筒形状であり、開口が上面を向くとともに、上面部材２の開口部２１と連通するように外箱１に取り付けられる。なお、水槽５は外箱１への振動の伝達を抑制することができるような取付方法で取り付けられていてもよい。
【００２０】
洗濯兼脱水槽６も一端（上部）が開口した有底筒形状であり、洗濯兼脱水槽６は上方に向かい緩やかに広がるテーパ形状の周壁を有する。この周壁の最上部には、環状に配置した複数個の脱水孔６１が形成されており、それ以外の部分には、液体を通すための孔はない。すなわち、洗濯兼脱水槽６はいわゆる孔なしタイプの槽である。しかしながら、これに限定されるものではなく、洗濯兼脱水槽６の周壁に液体を通すための孔が形成されているものであってもよい。
【００２１】
洗濯兼脱水槽６はその中心軸が水槽５の中心軸と一致する又は略一致するように、水槽５の内部に回転可能に配置されている。洗濯兼脱水槽６の上部には、洗濯兼脱水槽６を回転させるときに発生する振動を抑制するためのバランサー６２が装着されている。そして、洗濯兼脱水槽６の内部の底面には、撹拌翼６３が洗濯兼脱水槽６に対して回転可能に配置されている。
【００２２】
また、水槽５の底部には排水部（不図示）が設けられているとともに、洗濯兼脱水槽６の底部には、洗濯兼脱水槽６内の水を抜くための抜水部（不図示）を備えている。
【００２３】
駆動機構７は、水槽５の下部に配置されており、図示を省略したモータと、モータで発生した回転力が不図示のベルトを介して伝達されるプーリ７１と、クラッチ機構７２とを備えている。また、駆動機構７は、プーリ７１が取り付けられた回転軸７３と、洗濯兼脱水槽６と接続する脱水軸７４と、撹拌翼６３と接続する撹拌軸７５とを備えている。
【００２４】
脱水軸７４と撹拌軸７５とは、撹拌軸７５が内側の２重構造を構成しており、脱水軸７４と撹拌軸７５とは、中心軸が一致するとともにそれぞれ独立して回転可能となっている。脱水軸７４及び撹拌軸７５はいずれも水槽５を貫通しているとともに水槽５に対して回転可能となっている。脱水軸７４は中心軸が一致するように洗濯兼脱水槽６の底面に連結されているとともに、洗濯兼脱水槽６を支持している。なお、脱水軸７４と水槽５との隙間には、水槽５の貫通部分からの水漏れを抑制するためのシール部材（不図示）が配置されている。
【００２５】
撹拌軸７５は、洗濯兼脱水槽６の底部を貫通しているとともに洗濯兼脱水槽６に対して回転可能となっている。撹拌軸７５は洗濯兼脱水槽６の内部に配置された撹拌翼６３と中心軸が一致するように連結している。撹拌翼６３は撹拌軸７５に回動可能に支持されている。洗濯兼脱水槽６と撹拌軸７５との隙間には、水漏れを防ぐためのシール部材（不図示）が配置されている。
【００２６】
駆動機構７のクラッチ機構７２は、回転軸７３の回転力が脱水軸７４及び撹拌軸７５に伝達される状態と、回転軸７３の回転力が撹拌軸７５にだけに伝達される状態に切り替えるものである。クラッチ機構７２を回転軸７３の回転力が撹拌軸７５だけに伝達されるように切り替えることで、洗濯兼脱水槽６を停止し、撹拌翼６３で洗濯兼脱水槽６に投入されている洗濯物及び洗濯液又は水を撹拌して、洗濯又はすすぎを行う。また、クラッチ機構７２を回転軸７３の回転力が脱水軸７４及び撹拌軸７５に伝達されるように切り替えることで、洗濯兼脱水槽６及び撹拌翼６３が一体的に回転し、遠心力を利用して洗濯兼脱水槽６内の洗濯物を脱水する。
【００２７】
洗濯機Ａでは、洗濯兼脱水槽６の内部に投入された洗濯物を乾燥させるための乾燥運転が可能な構成を有している。洗濯機Ａの乾燥運転では、例えば、ヒーター、ヒートポンプなどの加熱装置により空気を暖め、その暖かい空気（温風）を洗濯兼脱水槽６の内部に吹付けて、洗濯物を乾燥させるものである。上面部材２には乾燥用の空気を吐出する空気吐出部２４が設けられている。
（第１実施形態）
次に、本発明の洗濯機の要部である上蓋３の詳細について図面を参照して説明する。図
４は本発明にかかる洗濯機に用いられる上蓋の斜視図であり、図５は図４に示す上蓋からガラス板を取り外した状態の斜視図であり、図６は図４に示す上蓋の側部の断面を拡大した拡大断面図である。
【００２８】
上蓋３は、ヒンジ部３０と、フレーム３１（枠体）と、ガラス板３２（板状部材の一例）と、ハンドル部３３とを備えている。ヒンジ部３０は、フレーム３１と上面部材２とを接続しており、ヒンジ部３０によって上蓋３が開閉可能となっている（図２、図３参照）。図５に示すように、フレーム３１は支持部３１１と、側壁部３１２と、接着部３１３と、溝３１４とを備えている。
【００２９】
側壁部３１２は、上蓋３の周囲を囲むように形成された立壁部材である。より詳しくは、側壁部３１２は、平板状の支持部３１１の外周から支持部３１１と直交する方向に突出している立壁部材である。見方を変えれば、支持部３１１は側壁部３１２から内側に突出する平板状の部材であると言うこともできる。支持部３１１の中央部分には、貫通孔である開口窓３１０が形成されている。支持部３１１と側壁部３１２とは連結されて形成されており、ここでは、樹脂の一体成型体である。図５、図６に示すように、フレーム３１は、支持部３１１と側壁部３１２とを備えていることで、上部に矩形の凹部を備えた構成であると言える。
【００３０】
支持部３１１の側壁部３１２が囲む領域の内側には、ガラス板３２を接着するための接着部３１３が設けられている。この接着部３１３が設けられている方が上蓋３の上面（表面）となる。すなわち、上蓋３を閉じた状態で上方向に向く面が上蓋３の上面である。接着部３１３は、支持部３１１において平面上に設けられている部分であり、ガラス板３２と均等又は略均等に接触するようになっている。
【００３１】
なお、接着部３１３を設ける例としては、接着部３１３は支持部３１１に位置決めのための刻印や印刷、シールの貼付等であってもよい。あるいは、生産指示書において、例えば、「溝から２ｍｍ中央よりに粘着テープを貼り付ける」などのように支持部３１１に接着材料を貼る位置を指示する（規定する）ことで、接着部を設けるようにしてもよい。さらに言えば、支持部３１１の上面であれば、接着材料を設ける位置に制限がない場合もある。このような場合において、接着部は接着材料が設けられた場所であるといえる。
【００３２】
また、支持部３１１ではなく、板状部材（例えばガラス板３２）に支持部３１１を設けてもよい。この場合、接着部３１３を設ける例としては、接着部３１３は板状部材に位置決めのための刻印や印刷、シールの貼付等であってもよい。このとき、板状部材の材質に応じて適当な方法を選択すればよい。あるいは、生産指示書において、例えば、「板状部材の端部から２ｍｍ中央よりに粘着テープを貼り付ける」などのように板状部材に接着材料を貼る位置を指示する（規定する）ことで接着部を設けるようにしてもよい。さらに言えば、板状部材の支持部３１１と対面する面であれば、接着材料を設ける位置に制限がない場合もある。このような場合いおいて、接着部は接着材料が設けられた場所であるといえる。
【００３３】
本実施形態において、上蓋３の上面が平面状であり、支持部３１１も平面状となっているが、意匠上の理由やその他の理由により上蓋３が曲面状に形成されることがあり、支持部３１１も曲面状となることもある。このような場合、接着部３１３は、支持部３１１において曲面上に設けられることもある。さらには、上蓋３が曲面と平面の組み合わせから形成されることもある。そのような場合、接着部３１３は、ガラス板３２の形状及び取り付け位置に応じて、平面上に設けられることもあるし、曲面上に設けられることもある。
【００３４】
ガラス板３２は接着部３１３に粘着シート等の接着材料を利用してしっかり接着される。そして、溝３１４は支持部３１１の接着部３１３と側壁部３１２との間の部分に側壁部３１２に沿うように形成されている。なお、上蓋３の下面（裏面）には、上面部材２の開口部２１を囲うように環状のパッキンが設けられている。このパッキンは、上面の溝３１４の内側に設けられている。
【００３５】
ガラス板３２は、透明な板状の部材である。ガラス板３２は、少なくとも、上蓋３が閉じているときに、開口窓３１０を介して洗濯兼脱水槽６の内部を視認できればよく、ガラス板３２の上蓋３の開口窓３１０と重なる部分が、内部を確認できる程度の透光性を有する（透明性を有する）ように形成されている。ガラス板３２は、全面が透明に形成されていてもよいが、これに限定されるものではない。ガラス板３２は、接着部３１３に接着材料で接着されるため、上蓋３を上面から見たときに接着材料が付着する部分を不透明に形成していてもよい。なお、ガラス板３２としては強化ガラスを用いることが好ましい。
【００３６】
このように形成することで、上蓋３を上面から見たとき、使用者によって接着材料（接着部分）が視認されるのを抑制し、これによって、上蓋３の意匠性を高めることが可能である。なお、不透明にする方法としては、金属等の薄膜を形成するものやプリントを施すもの等を挙げることができるが、これに限定されない。また、本実施形態では、板状部材が透光性を有する構成であることから、ガラスとしているが、これに限定されるものではなく、例えば、アクリル板など樹脂から成るものであってもよい。透光性を有するとともに、上蓋３を閉じたときに、洗濯機Ａの内部を密閉できるような特徴を有する材料を広く採用することができる。また、上蓋３が開口部２１を閉じている状態で、洗濯機Ａの内部を視認する必要がない場合は、板状部材として不透明の材料（金属、樹脂等）で形成されたものであってもよい。あるいは、開口窓３１０を上蓋に設けないようにしてもよい。
【００３７】
図４、図５に示すように、ハンドル部３３は、フレーム３１に回動可能に支持されており、把手部３３１と、係合部３３２とを備えている。把手部３３１は使用者が上蓋３を開く又は閉じるときに把持する部分である。係合部３３２は、平板状の部材であり中央部分に貫通孔（係合孔）３３３が形成されている。上面部材２には、上側が斜めに形成されている楔状の係合凸部２５が設けられており、貫通孔３３３に係合凸部２５を係合することで、上蓋３をロックしている。
【００３８】
また、ハンドル部３３はばね等の弾性力を利用して係合凸部２５が貫通孔３３３と係合するように付勢されている。このように付勢することで、使用者がハンドル部３３を操作することで、上蓋３が開くようになっている。使用者が把手部３３１を把持して回転させることで、係合部３３２の係合孔３３３と係合凸部２５との係合が外れ、上蓋３を開くことができる。
【００３９】
上述したように、ガラス板３２を上蓋３の支持部３１１と側壁部３１２で形成される凹部に挿入して、接着部３１３に接着材料で固定している。フレーム３１やガラス板３２の製造上の誤差があっても、上述の凹部に挿入することができるように、ガラス板３２の外周面と側壁部３１２の内周面との間に隙間が形成されるような寸法となっている。上蓋３が閉じている状態で、ガラス板３２の上に水や洗濯液等の液体がこぼれると、この液体はガラス板３２と側壁部３１２との間に浸入する。
【００４０】
洗濯機Ａでは、粘着シート等の接着材料で接着部３１３とガラス板３２とを接着して固定しており、接着材料はある程度の厚みがあるため、接着部３１３が含まれる支持部３１１との間には微細な隙間が形成される。支持部３１１とガラス板３２の間は微細な隙間であるため、液体は毛細管現象で支持部３１１とガラス板３２の隙間の奥に浸入しやすくなっている。支持部３１１とガラス板３２の隙間に浸入した液体が接着材料に接触すると、接着材料の接着力が低下しガラス板３２の剥離の原因となる恐れがある。
【００４１】
そこで、本発明にかかる洗濯機Ａでは、支持部３１１の接着部３１３と側壁部３１２の間の部分に溝３１４を形成している。このように、溝３１４を形成していることで、ガラス板３２の外周面と側壁部３１２の内周面とに浸入した液体が、ガラス板３２と支持部３１１との間に毛細管現象で浸入するのを抑制している。次に、毛細管現象を抑制するための溝３１４について説明する。
【００４２】
図５、６に示すように、溝３１４は支持部３１１の上面の側壁部３１２と近接する部分に側壁部３１２に沿って形成されている。そして、接着部３１３に接着材料でガラス板３２を貼り付けたとき、ガラス板３２の辺縁部分が溝３１４の中間部に到達するように、溝３１４が形成されている。なお、本発明にかかる洗濯機Ａの上蓋３では、溝３１４と側壁部３１２とが隣合うように形成されている。なお、上述の「中間部に到達するように」とは、ガラス板３２の辺縁部分が溝３１４の幅の厳密な中央に位置させる必要があるということではなく、溝３１４の上方にガラス板３２の辺縁部分が位置する様に位置させることを示している。
【００４３】
このように、溝３１４が形成されていることで、溝３１４に液体が流入するため、液体がガラス板３２の支持部３１１と対向する面に接触しにくくなっている。また、ガラス板３２と溝３１４の底面部分との間隙が大きくなっており、ガラス板３２と溝３１４の底部との隙間で発生する毛細管現象が発生しにくくなる。これにより、毛細管現象によって、ガラス板３２と支持部３１１との隙間の奥に液体が浸入するのを抑制し、接着材料に液体が接触するのを抑制してガラス板３２の剥離の発生を抑制することができる。
ガラス板３２がフレーム３１から剥離するのを抑制することで、洗濯機Ａの密閉性の低下を抑えることができる。これにより、洗濯機Ａの動作（例えば、洗濯、すすぎ、脱水、乾燥等）を長期間に渡って安定して行うことが可能となる。
【００４４】
なお、本実施の形態では、接着部３１３を支持部３１１の溝３１４に近い位置に設けているが、これに限定されるものではない。例えば、支持部３１１の中央付近に設けてもよいし、支持部３１１の開口窓３１０の近くに設けるようにしてもよい。すなわち、設計する際に、意匠上の理由や信頼性の理由などを考慮して適切な位置を設定すればよい。
（第２実施形態）
本発明にかかる洗濯機の他の例について図面を参照して説明する。図７Ａは本発明にかかる洗濯機の他の例に用いられる上蓋の拡大断面図である。図７Ａに示す上蓋３Ａは、フレーム３１ａの接着部３１３ａが異なる以外は、上蓋３と同じ構成を有している。そのため、実質上同じ部分には同じ符号を付すとともに同じ部分の詳細な説明は省略する。
【００４５】
図７Ａに示すように、フレーム３１ａは、支持部３１１より上方に突出した接着部３１３ａを備えている。なお、接着部３１３ａは、側壁部３１２に沿って延びる帯状に設けられている（形成されている）。そして、接着部３１３ａの上面に粘着シート等の接着材料を配置するとともに、ガラス板３２を接着する。このように、接着部３１３ａを支持部３１１から突出した形状とすることで、支持部３１１とガラス板３２との隙間を大きくして、毛細管現象を抑制して、液体と接着材料との接触を効果的に抑制することができる。
【００４６】
これ以外の特徴は、第１実施形態と同じである。
（変形例）
本発明にかかる洗濯機の他の例について図面を参照して説明する。図７Ｂは図７Ａに示す上蓋の変形例の断面図である。図７Ｂに示すように、上蓋３Ａ２は、接着部３１３ａから溝３１４に向かって下方に傾斜する傾斜部３１１ａを備えている。このような構成とすることで、液体が溜まる溝３１４の近傍での傾斜部３１１ａとガラス板３２との間の隙間を大きくすることができ、溝３１４に溜まった液体が毛細管現象で接着部３１３ａに到達するのを抑制することができる。
（第３実施形態）
本発明にかかる洗濯機の他の例について図面を参照して説明する。図８は本発明にかかる洗濯機の他の例に用いられる上蓋の概略を示す斜視図である。図８に示す上蓋３Ｂは、フレーム３１ｂの溝３１４ｂが異なる以外は、上蓋３と同じ構成を有している。そのため、実質上同じ部分には同じ符号を付すとともに同じ部分の詳細な説明は省略する。また、図８では、便宜上、ガラス板の図示を省略している。
【００４７】
第１実施形態の上蓋３においてフレーム３１は、平面視長方形状であり、その周囲全周に渡って側壁部３１２が形成されている。そして、支持部３１１の側壁部３１２の内周面と隣接する位置に、溝３１４が形成されている。そして、この溝３１４は側壁部３１２に沿って、一周閉じるように形成されている。このような構成の場合、側壁部３１２の内周面とガラス板３２の外周面との隙間にある程度の液体が流入した場合でも、液体が接着部３１３の接着材料に到達（接触）するのを抑制できる。そして、自然乾燥で溝３１４に溜まった液体が蒸発することで、溝３１４に溜まった液体を処理することが可能である。
【００４８】
しかしながら、ガラス板３２の外周面と側壁部３１２の内周面との間に多量の液体が流入すると、自然乾燥では十分に液体を処理することが困難であり、溝３１４に溜まった液体がガラス板３２の支持部３１１と対向する面に接触する可能性が高くなる。これにより、毛細管現象で、ガラス板３２と支持部３１１との隙間の奥に液体が浸入し接着部３１３の接着材料と接触する恐れがある。
【００４９】
本実施形態では、このような、自然乾燥での処理が困難な場合に備え、上蓋３Ｂを採用しているとともに、上面部材２の上面に、開口部２１を囲むように排水路２３を設けている。排水路２３は、上蓋３の開閉時に上蓋３の内側に付着した水滴やこぼれた水、洗濯液等を排水するために設けられている。上蓋３Ｂのフレーム３１ｂの溝３１４ｂは、上蓋３Ｂが起立するように開状態となったとき、液体が下方に向かって流れ、排水路２３に流出するように開放端３１５を備えている。排水路２３には、排水部へ排水するパイプを設けられている。このパイプを通って排水路２３に流入した液体は、排水部に排水（処理）される。
【００５０】
詳しく説明すると、上蓋３Ｂを閉じて上面部材２の開口２１を閉じたときに、溝３１４ｂが正面側の辺及び左右の辺に沿って形成されている。そして、左右の辺に沿った溝３１４ｂの背面側の端部は、液体が流出するように開放端３１５になっている。溝３１４ｂをこのように形成することで、上蓋３Ｂを開いて上面部材２の開口２１を開いたとき、溝３１４ｂの開放端３１５が下方に開放しているため、溝３１４ｂに溜まった液体は、開放端３１５から排水路２３に流れ出る。これにより、溝３１４ｂに多量の液体が流入しても、流入した液体を効率よく処理（排出）することができる。
【００５１】
上蓋３Ｂとしては、上面部材２の開口２１を閉じたときに側壁部３１２の奥側の辺を構成する部分の左右両端部に、開放端３１５となるように切欠きを構成しているが、これに限定されるものではない。例えば、上面部材２の開口２１を閉じたときに側壁部３１２の奥側の辺を構成する部分に、一定の間隔で複数個の切欠きが形成されているようにしてもよい。このような構成とすることで、上蓋３Ｂで開口２１を開いたときに、奥側の辺を構成する側壁部３１２に沿って形成された溝３１４ｂに溜まった液体も効率よく排水路２３に流すことができる。これにより、多量の洗濯液が上蓋３ｂの上面に流れても、ガラス板
３２の剥離を抑制することができる。
【００５２】
また、図示は省略しているが、溝３１４ｂの奥側の辺（上蓋３Ｂを開いたときに下になる辺）を構成する側壁部３１２に沿って形成された部分の左右方向の中央（或いは略中央）に開放端が形成されるようにしてもよい。このような構成の場合、溝３１４ｂは上蓋３Ｂを開いたときに、開放端に向かって下方に傾斜するように構成されていることが好ましい。
【００５３】
なお、本実施形態では、上蓋が背面側を支点として手前側を上げ下げすることで開閉する構成であるため、前後方向に延びる溝の背面側に開放端を形成しているが、これに限定されない。例えば、上蓋を左右に回動させて開閉するような構成の場合、左右に延びる溝のうち上蓋を開状態としたとき下部（下流）に開放端を設けるようにしてもよい。すなわち、開放端は上蓋を開状態としたときに溝の下部（下流部）に設けられればよく、最下端（最下流部）に設けられるのが好ましい。
（第４実施形態）
本発明にかかる洗濯機のさらに他の例について図面を参照して説明する。図９は本発明にかかる洗濯機のさらに他の例に用いられる上蓋のハンドル部の近傍を拡大した斜視図である。図９に示す上蓋３Ｃは、フレーム３１ｃの溝３１４ｃが異なる以外は、上蓋３と同じ構成を有している。そのため、実質上同じ部分には同じ符号を付すとともに同じ部分の詳細な説明は省略する。図９の拡大表示では、便宜上ハンドル部３３の図示を省略している。
【００５４】
図３に示すように、上面部材２では、洗濯機Ａを正確にレベル調整して設置場所（床面）に設置した状態で上蓋３を閉じると、手前側、すなわち、ハンドル部３３側が下方に傾斜する。そこで、本実施形態にかかる上蓋３Ｃでは、閉じたときの上蓋３Ｃの傾斜を利用して、溝３１４ｃに溜まった水を排出する構成となっている。
【００５５】
フレーム３１ｃにおいて、外周を囲むように形成した側壁部３１２は、フレーム３１ｃの強度を高めるための補強部材の役割を果たしている。この点において、側壁部３１２は、フレーム３１ｃの外周を完全に取り囲むように形成されていることが好ましい。しかしながら、フレーム３１ｃは、回動可能なようにハンドル部３３を備えており、ハンドル部３３の把手部３３１は上蓋３Ｃの上面側、係合部３３２は下面側に配置される。そのため、ハンドル部３３を取り付けるために、フレーム３１ｃのハンドル部３３を取り付ける部分で、側壁部３１２が途切れる。
【００５６】
この側壁部３１２が途切れる部分では、支持部３１１に切欠き３１６が形成されている。そして、溝３１４ｃが切り欠き３１６と交差する部分が開放端３１５になっている。そして、フレーム３１ｃでは、溝３１４ｃの開放端３１５から流れた液体が切り欠き３１６を介して排水路２３に流入するような構造となっている。
【００５７】
上蓋３Ｃの下面（裏面）には、上述の上蓋３と同様に、上面部材２の開口部２１を囲うように環状のパッキンが設けられている。また、パッキンは、上面の溝３１４ｃの内側に設けられ、上面部材２の排水路２３よりも内側の上面部材２の上面に接触するようになっている。このようにすることで、上蓋３Ｃを閉じた状態では、開口部２１は、密閉された状態となる。よって、排水路２３に流入した液体は、上蓋３Ｃを閉じた状態でも、水槽５や洗濯兼脱水槽６に流れ込まない。排水路２３には、排水部へ排水するパイプが連設されている。そのため、上蓋３Ｃを閉じた状態でも排水路２３に流入した液体を排水部へ排水することができる。
【００５８】
このように、溝３１４ｃ及び切り欠き３１６を形成することで、上蓋３Ｃが閉じた状態でも、側壁部３１２の内周面とガラス板３２の外周面の隙間に溜まった液体を効率よく処理（排出）することができる。
【００５９】
これ以外の特徴は、第３実施形態と同じである。
（第５実施形態）
本発明にかかる洗濯機のさらに他の例について図面を参照して説明する。図１０は本発明にかかる洗濯機のさらに他の例に用いられる上蓋の概略を示す拡大断面図である。図１０は中間部分を省略した断面図になっている。図１０に示す上蓋３Ｄは、フレーム３１ｄの溝３１４ｄが異なる以外は、上蓋３と同じ構成を有している。そのため、実質上同じ部分には同じ符号を付すとともに同じ部分の詳細な説明は省略する。
【００６０】
洗濯機の構成（上面部材の構成）によっては、傾斜して取り付けられる上蓋が水平又は略水平な状態で開口部を閉じるように取り付けられる場合もある。このような場合、上蓋が閉じられると、溝に溜まった液体が流れにくくなり、液体が接着材料に到達する恐れがある。
【００６１】
そこで、図１０に示すように、上蓋３Ｄは水平状態のときに、溝３１４ｄの底面３１４１が長手方向に傾斜するような勾配を有している。そして、溝３１４ｄの傾斜の下端部が開放端３１５となっている。上蓋３Ｄが水平状態で開口部２１を閉じる構成の洗濯機において、上蓋３Ｄが閉じた状態で、液体がガラス板３２の外周面と側壁部３１２の内周面との間に浸入しても、溝３１４ｄの傾斜下方に向かって流れる。そして、傾斜の下端部に形成された開放端３１５から排水路２３に向かって流れる（排出される）。
【００６２】
上蓋３Ｄの下面（裏面）には、上述の上蓋３と同様に、上面部材２の開口部２１を囲うように環状のパッキンが設けられている。また、パッキンは、上面の溝３１４ｄの内側に設けられ、上面部材２の排水路２３よりも内側の上面部材２の上面に接触するようになっている。このようにすることで、上蓋３Ｄを閉じた状態では、開口部２１は、密閉された状態となる。よって、排水路２３に流入した液体は、上蓋３Ｄを閉じた状態でも、水槽５や洗濯兼脱水槽６に流れ込まない。排水路２３には、排水部へ排水するパイプが連設されている。そのため、上蓋３Ｄを閉じた状態でも排水路２３に流入した液体を排水部へ排水することができる。
【００６３】
このように、溝３１４ｄを形成することで、上蓋３Ｄが水平状態であっても、側壁部３１２の内周面とガラス板３２の外周面の隙間に溜まった液体を効率よく処理（排出）することができる。
【００６４】
本実施形態では、溝３１４ｄの傾斜方向を洗濯機Ａの前後方向としているが、これに限定されない。例えば、左右方向に傾斜するようにしてもよい。なお、上蓋３Ｄが傾斜して取り付けられる場合を考慮して、傾斜方向に延びる溝３１４ｄの傾斜方向を、上蓋３Ｄが傾斜して取り付けられたときの上蓋３Ｄの傾斜方向と同じとすることで、液体の処理（排出）の効果を高めることができ、より好ましい。
【００６５】
これ以外の特徴は、第１実施形態と同じである。
（第６実施形態）
本発明にかかる洗濯機のさらに他の例について図面を参照して説明する。図１１は本発明にかかる洗濯機のさらに他の例に用いられる上蓋に形成された溝を示す図である。図１１に示す上蓋３Ｅは、フレーム３１ｅの溝３１４ｅが異なる以外は、上蓋３と同じ構成を有している。そのため、実質上同じ部分には同じ符号を付すとともに同じ部分の詳細な説明は省略する。
【００６６】
図１１に示すように、フレーム３１ｅに形成されている溝３１４ｅには、底面部３１４１に複数個の貫通孔３１７が形成されている。貫通孔３１７が形成されていることで、溝３１４ｅに流入した液体は貫通孔３１７を通って、排水路２３に流れる。
【００６７】
上蓋３Ｅの下面（裏面）には、上述の上蓋３と同様に、上面部材２の開口部２１を囲うように環状のパッキンが設けられている。また、パッキンは、上面の溝３１４ｅの内側に設けられ、上面部材２の排水路２３よりも内側の上面部材２の上面に接触するようになっている。このようにすることで、上蓋３Ｅを閉じた状態では、開口部２１は、密閉された状態となる。よって、排水路２３に流入した液体は、上蓋３Ｅを閉じた状態でも、水槽５や洗濯兼脱水槽６に流れ込まない。排水路２３には、排水部へ排水するパイプが連設されている。そのため、上蓋３Ｅを閉じた状態でも排水路２３に流入した液体を排水部へ排水することができる。
【００６８】
このように、溝３１４ｅの底面３１４１に貫通孔３１７を形成することで、上蓋３Ｅが閉じた状態であっても、側壁部３１２の内周面とガラス板３２の外周面の隙間に溜まった液体を効率よく処理（排出）することができる。
【００６９】
なお、本実施形態では、溝３１４ｅの底面３１４１に貫通孔３１７を構成しているが、この貫通孔３１７は、大きなものが１個であってもよいし、適当な間隔をあけて複数個、並んで形成されていてもよい。また、溝３１４ｅの底面がメッシュのような液体を透過する材料で形成されていてもよい。
【００７０】
上述の各実施形態において、上蓋の側壁部とガラス板との間に流入した液体は、排水路２３に流入するようになっている。この排水路２３は、排水部に接続される構成であるが、これに限定されるものではなく、上蓋を開いたときに、水槽に流入するような構成であってもよい。また、直接水槽に流入するように溝の開放端或いは貫通孔を形成していてもよい。
【００７１】
以上、本発明の実施形態について説明したが、本発明はこの内容に限定されるものではない。また本発明の実施形態は、発明の趣旨を逸脱しない限り、種々の改変を加えることが可能である。
【００７２】
本発明にかかる洗濯機は、本体と、前記本体の上部に取り付けられて洗濯物を出し入れする開口部を有する上面部材と、前記上面部材に回動可能に取り付けられて前記開口部を開閉する上蓋とを備え、前記上蓋は、枠体と、前記枠体の上面に接着される板状部材とを有しており、前記枠体は、平板状の支持部と、前記支持部の外周の少なくとも一部から突出した側壁部と、前記支持部と前記板状部材との間に配されて前記支持部と前記板状部材とを接着する接着部と、前記支持部の前記側壁部と前記接着部との間に溝とを有していることを特徴とする。
【００７３】
この構成によると、側壁部の内周面と板状部材の外周面との隙間に水や洗剤等が混入した水（洗濯液）が流入した場合でも、その液体は溝に流入する。これにより、板状部材と平板部との隙間に毛細管現象で接着部に浸入することを抑制することができる。これにより、接着部の配置されている接着材料（接着剤、両面テープなどの粘着シート等）に前記液体が接触し、接着力が低下するのを抑制することができる。また、接着材料の接着力の低下を抑制することで、前記板状部材が前記枠体から剥離することを抑制することができる。
【００７４】
さらに、前記板状部材と前記枠体との剥離を抑制することで、前記洗濯機の本体の内部と外部とが連通状態になるのを抑制することができる。これにより、洗濯、すすぎ、脱水、乾燥の効率の低下を抑制することができ、長期間に渡って安定して動作することが可能である。
【００７５】
本発明にかかる洗濯機は、前記上蓋が開いたときに前記溝の下端となる部分が前記本体に向かって開放されていてもよい。
【００７６】
本発明にかかる洗濯機は、前記溝の底部には前記上蓋が閉じた状態のときに長手方向に下方に傾斜する勾配が付けられており、前記傾斜の下端部が前記本体に向かって開放されていてもよい。
【００７７】
本発明にかかる洗濯機は、前記溝の底部には前記上面部材に向かって貫通した貫通孔が１又は複数個形成されていてもよい。
【００７８】
本発明にかかる洗濯機は、前記接着部は、周囲よりも突出して形成されていてもよい。
【００７９】
本発明にかかる洗濯機は、前記支持部は平板状の中央部分に開口窓が形成されており、前記板状部材は、前記枠体に接着したときに前記開口窓と厚み方向に重なる位置に反対側を視認できるような透光性を有する部分が形成されていてもよい。
【００８０】
本発明にかかる洗濯機は、前記上蓋は傾斜した形状を有しており、前記上蓋を閉じたときに前記溝の低くなる端部が前記上面部材に向けて開放されていてもよい。
【符号の説明】
【００８１】
Ａ  洗濯機
１  外箱
２  上面部材
２０  操作部
２１  開口部
２２  給水部
２３  排水路
３  上蓋
３０  ヒンジ部
３１  フレーム
３１１  支持部
３１２  側壁部
３１３  接着部
３１４  溝
３１５  開放端
３１６  切り欠き
３１７  貫通孔
３２  ガラス板
３３  ハンドル部
３３１  把手部
３３２  係合部
３３３  貫通孔
４  ベース部材
４１  脚部
５  水槽
６  洗濯兼脱水槽
６１  脱水孔
６２  バランサー
６３  撹拌翼
７  駆動機構
７１  プーリ
７２  クラッチ機構
７３  回転軸
７４  脱水軸
７５  撹拌軸
【図１】
2018075418.tif 000003
【図２】
2018075418.tif 000004
【図３】
2018075418.tif 000005
【図４】
2018075418.tif 000006
【図５】
2018075418.tif 000007
【図６】
2018075418.tif 000008
【図７Ａ】
2018075418.tif 000009
【図７Ｂ】
2018075418.tif 000010
【図８】
2018075418.tif 000011
【図９】
2018075418.tif 000012
【図１０】
2018075418.tif 000013
【図１１】
2018075418.tif 000014